Podtech/llm-jp-corpus-v4-ja_patent huggingface dataset:
(57)【要約】【課題】  マスクの紐を包み込む形状の弾性チューブにより、長時間マスクを付けている時の耳の痛みを軽減するとともに、紐が外れにくいマスクの紐カバーを供すること。【解決手段】  幅の広いテープを螺旋状に巻き付けた形状の弾性スパイラルチューブを用いて、マスクの紐がチューブから外れるのを防止する欠き込み３を、チューブの途中に設けた。【選択図】図１
0003203052.tif 000002
【実用新案登録請求の範囲】
【請求項１】
マスクの紐を包み込む、マスクの紐カバーに用いる弾性スパイラルチューブであって、紐がチューブから外れるのを防止する欠き込み（３）を、チューブの途中の螺旋状のライン（４）に添って設けることを特徴とするスパイラルチューブ。
【請求項２】
マスクの紐を包み込む、マスクの紐カバーに用いる弾性チューブであって、紐がチューブから外れるのを防止する欠き込み（３）を、チューブの末端部からの切り込み（６）を通じてチューブの途中に設けることを特徴とするチューブ。
【考案の詳細な説明】
【技術分野】
【０００１】  本発明はマスクの紐による耳の痛みを軽減する補助具の構造に関する。
【背景技術】
【０００２】  マスクはマスクの紐を耳に掛けて使用されるが、長時間にわたりマスクを使用する場合には、紐が耳を圧迫しつづけるために耳が痛くなるという問題があった。【０００３】  その問題を改善するため、マスクの紐が直接耳にあたらないよう、紐より太いチューブをマスクの紐に装着して耳が痛くなるのを防ぐ工夫が見られる。（特許文献１）
しかし、着脱のためチューブの長手方向に設けた切り込み（凹部）から紐が外れやすいという欠点があり、就寝時等の使用には向かなかった。【０００４】  また、マスクの紐にゴム製の螺旋状体が巻き付くように取り付けられる考案のもの（特許文献２）は紐が外れる恐れは無いが、螺旋状体が細く分断された構造になるため、細い紐の圧力を分散させて面で耳に伝える前述の太いチューブのような圧力分散の効果は小さく、痛みの緩和効果も劣るものであった。
【先行技術文献】
【特許文献】
【０００５】
【特許文献１】実用新案登録第３１９０８５７号
【特許文献２】特開２０１３−１５０６７８
【考案の概要】
【考案が解決しようとする課題】
【０００６】  解決しようとする課題は、マスクの紐を包み込む形状の弾性チューブにより、長時間マスクを付けている時の耳の痛みを軽減するとともに、紐が外れにくいマスクの紐カバーを供することである。
【課題を解決するための手段】
【０００７】  本発明は、幅の広いテープを螺旋状に巻き付けた形状の弾性スパイラルチューブを用いて、マスクの紐がチューブから外れるのを防止する欠き込みを、チューブの途中に設けることを主要な特徴とする。
【考案の効果】
【０００８】  本発明のマスクの紐カバーは、マスクの紐が外れるのを心配することなく、長時間マスクを付けている時の耳の痛みを軽減出来るという利点がある。
【図面の簡単な説明】
【０００９】
【図１】  マスクの紐カバーの端部を示した斜視図である。（実施例１）
【図２】  マスクの紐カバーの端部を示した斜視図である。（実施例２）
【図３】  マスクの紐カバーの端部を示した斜視図である。（実施例３）
【考案を実施するための形態】
【００１０】  弾性チューブを利用し、紐が外れにくいマスクの紐カバーを供するという目的を、紐が外れるのを防止する欠き込みをチューブの途中に設けることにより実現した。
なお、マスクの紐はチューブに取り付ける際の切り込みに添って移動することにより外れるため、欠き込み３の形状はその移動の障害になれば良く、どのような形状でも良い。
【実施例１】
【００１１】  図１の実施例は、幅の広いテープを螺旋状に巻き付けた形状の弾性スパイラルチューブを用いて、マスクの紐がチューブから外れるのを防止する欠き込み３を、チューブの途中に設けたものであり、螺旋状のライン４に添って欠き込み３を設けた例である。
スパイラルチューブは耳に掛けた時に、耳のカーブに添って外側が開いて曲がるため、曲げる成型は不要である。
【実施例２】
【００１２】  図２の実施例は、弾性スパイラルチューブを用いて、マスクの紐がチューブから外れるのを防止する欠き込み３を、チューブの途中に設けたものであり、螺旋状のライン４とは別の、チューブの末端部１からの切り込み６を通じて欠き込み３を設けた例である。
スパイラルチューブは耳に掛けた時に、耳のカーブに添って外側が開いて曲がるため、曲げる成型は不要である。
【実施例３】
【００１３】  図３の実施例は、両端まで長手方向に切断した弾性チューブを用いて、マスクの紐がチューブから外れるのを防止する欠き込み３を、チューブの途中に設けたものであり、長手方向に切断したライン７とは別の、チューブの末端部１からの切り込み６を通じて欠き込み３を設けた例である。マスクの紐をあらかじめ欠き込み３に通して使用する。
切り込み６の位置は、ライン７の反対側に設けることにより、耳に掛けた時にライン７が耳のカーブの外側を向くため、ライン７が直接耳に接しないようになる。
弾性が十分に無いチューブを使用する時は、耳のカーブに添って曲げる成型をする。
【符号の説明】
【００１４】１：弾性チューブの末端部
２：弾性スパイラルチューブのスパイラル状切断の末端
３：弾性チューブの途中に設けた欠き込み
４：弾性スパイラルチューブのスパイラル状切断の外周ライン
５：マスクの紐を通すチューブの中空部
６：弾性チューブを長手方向に切断したライン
７：弾性チューブを両端まで長手方向に切断したライン
１１：弾性チューブの外径
１２：弾性チューブの長さ（片側省略）
【図１】
0003203052.tif 000003
【図２】
0003203052.tif 000004
【図３】
0003203052.tif 000005
(57)【要約】【課題】構成する具材の存在感が大きい七味唐辛子として視覚的に興味を惹き、かつ多様な食べ方が出来る七味唐辛子を提供する。【解決手段】一辺が３ｍｍ以上の乾燥唐辛子と、一辺が２ｍｍ以上のサイズである野菜、海藻、穀物、豆類、果物、種実、魚介、肉、きのこ類、香辛料に由来する加工食品から選ばれる６種類の乾燥具材を混合する。【選択図】図１
0003203059.tif 000002
【実用新案登録請求の範囲】
【請求項１】
乾燥唐辛子と乾燥唐辛子以外の乾燥具材で構成されることを特徴とする大きい具材の七味唐辛子。
【請求項２】
前記乾燥唐辛子の一辺が３ｍｍ以上である請求項１に記載の大きい具材の七味唐辛子。
【請求項３】
前記乾燥唐辛子以外の乾燥具材が、野菜、海藻、穀物、豆類、果物、種実、魚介、肉、きのこ類、香辛料に由来する加工食品から選ばれる６種類以上の乾燥具材である請求項１または２に記載の大きい具材の七味唐辛子。
【請求項４】
前記乾燥唐辛子以外の乾燥具材は、方体状、平板状、球状、不定形な塊状、円盤状、偏平状の形態をなし、その寸法は一辺が２ｍｍ以上である請求項１〜３のいずれかに記載の大きい具材の七味唐辛子。
【考案の詳細な説明】
【技術分野】
【０００１】  本考案は大きい具材の七味唐辛子に関する。
【背景技術】
【０００２】  視覚的な興味を惹き、かつ食感を楽しむことや多様な食べ方が出来る七味唐辛子はこれまでになかった。【０００３】  従来の七味唐辛子は粉末状であり、専ら調味料として使用される。【０００４】  七味唐辛子を構成する素材原料に定義はない（非特許文献１）。【０００５】  唐辛子を主な原料とした複数の素材を混合したものであれば、必ずしも７種類の素材原料を混ぜなければならないものではなく、例えば３〜１０種類の素材を混ぜたものであっても「七味唐辛子」と称されてきたものもある。【０００６】  ただ、近年では食品表示等の事情により、７種類の素材原料を混合したものを「七味唐辛子」と称することが現状である。
【先行技術文献】
【非特許文献】
【０００７】
【非特許文献１】根元八幡屋磯五郎、”商品のご案内”、［ｏｎｌｉｎｅ］、［平成２７年１０月１３日検索］、インターネット＜ＵＲＬ：ｈｔｔｐ：／／ｗｗｗ．ｙａｗａｔａｙａ．ｃｏ．ｊｐ／ｂｒａｎｄ／ｐｒｏｄｕｃｔｓ／ｐｒｏｄｕｃｔｓ．ｈｔｍｌ＞
【考案の概要】
【考案が解決しようとする課題】
【０００８】  従来の七味唐辛子は、それを構成する個々の具材のサイズが１ｍｍ前後であるので外見上特徴を持たず、また微細な粒子であるが故に食感が乏しい。さらに料理に振り掛けるか練り込むことしか用途を見出せなかった。【０００９】  そこで本考案は、上記課題を解決する為に視覚的にユニークな特徴を持ち多様な用途を持つ七味唐辛子を供せんとするものである。
【課題を解決するための手段】
【００１０】  本考案は、主たる具材となる３ｍｍ以上の乾燥唐辛子と、乾燥唐辛子以外の加工食品で一辺が２ｍｍ以上のサイズである６種類以上の乾燥具材を混合したものであることを特徴とする。
【考案の効果】
【００１１】  本考案を構成する乾燥具材の寸法を手で摘めるような大きさにすることにより、具材の存在感が高まって視覚的な興味を惹き、そのまま食べればおつまみやおやつとして食感を楽しむことが可能である。また、これらの本考案を構成する乾燥具材を任意の大きさに砕けばトッピング具材やふりかけになり、粉砕すれば通常の調味料としても使用できる、優れた七味唐辛子となる。
【図面の簡単な説明】
【００１２】
【図１】本考案の実施形態にかかる大きい具材の七味唐辛子の一例を示すものであって、本考案を構成する乾燥唐辛子やそれ以外の６種類の乾燥具材を混合して袋に入れた状態の説明図である。
【考案を実施するための形態】
【００１３】  本考案において乾燥唐辛子とそれ以外の乾燥具材は、個々を指で摘める程度の大きさばかりではなく、具材の存在感を高めて視覚的な興味を惹く程度の大きさを有し、さらにふりかけやトッピング具材としても使用できることを特徴とする。
【００１４】  本考案において主たる具材である乾燥唐辛子は、一辺が３ｍｍ以上の長さであれば唐辛子一本丸ごと使用しても良いが、任意の長さで輪切りにしたものが好ましい。食べ易さや見栄え等から、３〜３０ｍｍ幅で輪切りにしたものがさらに好ましい。
【００１５】  本考案において、乾燥唐辛子以外の乾燥具材は、一辺が２ｍｍ以上であればいかなる寸法でも良いが、食べ易さや見栄え等から、３ｍｍ以上６０ｍｍ以下であればさらに好ましい。この寸法の条件を満たせば、形状は特に限定されず、方体状、平板状、球状、不定形な塊状、円盤状、偏平状円形等どのようなものでも良い。
【００１６】  本考案において、乾燥唐辛子とそれ以外の乾燥具材は、焙煎、熱風乾燥、凍結乾燥、フライ、膨化、バキュームフライ、天日干し等の処理を施されたものが好ましい。これにより、本考案品の日持ちが良くなるだけでなく、乾燥唐辛子やそれ以外の乾燥具材がサクサクとした食感になることによって、おつまみやおやつになるばかりでなく、任意の大きさに砕いてトッピング具材やふりかけ等としても使用できる。
【００１７】  また、本考案を構成する乾燥唐辛子以外の乾燥具材の数は、野菜、海藻、穀物、豆類、果物、種実、魚介、肉、きのこ類、香辛料に由来する加工食品から６種類以上選択されれば何種類でもその数に制限はないが、６種類であればさらに好ましい。乾燥唐辛子以外の乾燥具材の数が６種類であれば、乾燥輪切り唐辛子と合わせて「七味唐辛子」となる。これらを任意の大きさに砕けば従来の七味唐辛子としての機能を持ちつつ食べ応えのあるふりかけやトッピング具材としても使用できる。
【実施例】
【００１８】  次に実施例を挙げるが、本考案は以下の実施例に限定されるものではない。【００１９】（乾燥輪切り唐辛子の作成）
直径３〜６０ｍｍの唐辛子を、３〜３０ｍｍ幅で輪切りにしてフライ処理を施し、乾燥唐辛子とする。【００２０】（乾燥輪切り唐辛子の以外の乾燥具材の作成）
また、小麦とコーンに膨化処理、ワカメに熱風乾燥処理、スライスしたゴボウにフライ処理、タマネギ及びスライスされたニンジンにバキュームフライ処理をそれぞれ施す。なお、これらの寸法は３ｍｍ以上６０ｍｍ以下である。【００２１】  前記の乾燥処理を施した唐辛子、コーン、ニンジン、タマネギ、ゴボウ、ワカメ、小麦、をそれぞれ、２５：２２：１８：１５：１１：９（ｖ／ｖ％）の割合で混合する。さらに、これらに任意の量の唐辛子粉末をまぶして調味することにより、辛味を調節することが出来る。
【産業上の利用可能性】
【００２２】  本考案は、構成している具材が存在感を持つ七味唐辛子として、そのままでおつまみ及びおやつ感覚で食すことが出来る。また、細かく砕けばトッピング具材やふりかけ、調味料としても色々な料理に使用することができる。
【符号の説明】
【００２３】  １    輪切りにしてフライ処理をした唐辛子
２    膨化処理をした小麦
３    フライ処理をしたゴボウ
４    バキュームフライ処理をしたタマネギ
５    バキュームフライ処理をしたニンジン
６    膨化処理をしたコーン
７    熱風乾燥処理をしたワカメ
８    袋
【図１】
0003203059.tif 000003
(57)【要約】      （修正有）【課題】理想的な洗顔能力を実現する電動洗顔機の構造を提供する。【解決手段】電動洗顔機の構造は、本体１内部に動力部材２を設置する。動力部材２にはシャフト２１を連設し、しかも本体１外部へと接続する。シャフト２１上にはベアリング３を嵌めて設置する。ベアリング３にはカバー体４を連設し、しかもカバー体４上には台体６を連設する。台体６上にはブラシ７を設置する。カバー体１外周囲には弾性部材５を設置する。これによりブラシの震動とリズミカルな運動効果を向上させられ、理想的な洗顔能力を実現する。【選択図】図２
0003203014.tif 000002
【実用新案登録請求の範囲】
【請求項１】
電動洗顔機の構造であって、本体を有し、
該本体内部には、動力部材を設置し、
該動力部材には、シャフトを連接し、
該シャフト末端は、該本体外部へと突出し、該シャフト上には、ベアリングを嵌めて設置し、
該ベアリングには、カバー体を連設し、しかも該カバー体上には、台体を連設し、
該台体上には、ブラシを設置し、
該カバー体の外周囲には、弾性部材を設置することを特徴とする電動洗顔機の構造。
【請求項２】
前記ベアリングは、偏心ベアリングであることを特徴とする請求項１に記載の電動洗顔機の構造。
【請求項３】
前記カバー体は、軟質材料により製造することを特徴とする請求項１に記載の電動洗顔機の構造。
【考案の詳細な説明】
【技術分野】
【０００１】
本考案は電動洗顔機の構造に関し、特に電動で顔の皮膚を洗浄する電動洗顔機の構造に関する。
【背景技術】
【０００２】
顔が他人に与える第一印象は大きい。
そのため、顔の皮膚の状態を好ましく保つ洗浄と手入れは非常に重要である。
【０００３】
現代人の生活環境は、空気中に自動車などの排気や汚染物質が充満しているため、一日経つと、毛孔には汚れがたまってしまう。
そのため、人々は顔の皮膚の洗浄を行う。
目的の一つは、代謝を促進することである。
なぜなら、表皮の下層細胞は常に上昇しており、最後には最も外側の角質層になるが、衰えた上層細胞を除去しなければ、表皮は厚くなってしまい、皮脂腺、汗腺が詰まり、ニキビができるためである。
さらに、上層細胞がたまり続ける状況で、下層細胞が再生されなければ、整然と配列する角質層が形成されない。
こうなれば、皮膚はガサガサし、くすんでしまう。
【０００４】
そのため、正しい皮膚洗浄は非常に重要である。
皮膚の洗浄効果を高めるため、電動洗顔器が開発されている。
それは、モーターの作動によりブラシを波動させ、これにより皮膚の洗浄を行うものである。
【０００５】
しかし、従来の構造は、その波動効果に限界があるため、本考案人は、その機能と効果をさらに向上させなければ、消費者のニーズに応えることはできないと考える。
【考案の概要】
【考案が解決しようとする課題】
【０００６】
前記先行技術の波動効果に限界があるため、機能と効果をさらに向上させなければ、消費者のニーズに応えられない欠点がある。
【課題を解決するための手段】
【０００７】
本考案は既存の構造中に弾性部材を増設することで、ブラシのリズミカルな運動幅を効果的に高め、これにより波動効果を向上させ、皮膚の洗浄作用を高めることができる電動洗顔機の構造に関する。
【０００８】
本考案による電動洗顔機の構造において、該電動洗顔機は、本体を有する。
該本体内部には、動力部材を設置する。
該動力部材には、シャフトを連接する。
該シャフト末端は、該本体外部へと突出し、該シャフト上には、ベアリングを嵌めて設置する。
該ベアリングは、偏心ベアリングで、該ベアリングには、カバー体を連設する。
該カバー体は、軟質材料により製造し、しかも該カバー体上には、台体を連設する。
該台体上には、ブラシを設置する。
【０００９】
本考案はカバー体の外周囲に、弾性部材を設置することで、動力部材が作動し、しかもシャフトの運動を連動すると、カバー体はそれに従い震動し、増設した弾性部材により、台体とブラシの震動とリズミカルな運動幅を拡大し、洗顔能力と効果を高めることができる。
【図面の簡単な説明】
【００１０】
【図１】本考案の局部立体外観図である。
【図２】本考案の局部立体断面図である。
【図３】本考案の局部断面図である。
【図４】本考案の局部断面動作状態図である。
【考案を実施するための形態】
【００１１】
（一実施形態）
図１、図２、図３に示す通り、本考案による電動洗顔機の構造において、電動洗顔機は、本体１を有する。
本体１内部には、動力部材２を設置する。
動力部材２には、シャフト２１を連接する。
シャフト２１末端は、本体１外部へと突出し、シャフト２１上には、ベアリング３を嵌めて設置する。
ベアリング３は、偏心ベアリングで、ベアリング３には、カバー体４を連設する。
カバー体４は、軟質材料により製造し、しかもカバー体４上には、台体６を連設する。
台体６上には、ブラシ７を設置する。
【００１２】
カバー体４の外周囲には、弾性部材５を設置する。
弾性部材５は、バネである。
【００１３】
図４に示す通り、動力部材２が作動し、しかもシャフト２１の運転を連動すると、偏心ベアリング３は、カバー体４を従えて震動させる。
増設した弾性部材５により、台体６は震動、リズミカルな運動、スイング幅の拡大を達成できる。
こうして、洗顔能力が向上し、使用時には、弧を描く顔の皮膚表面によりいっそう密着できるようになる。
【００１４】
前述した本考案の実施形態は本考案を限定するものではなく、よって、本考案により保護される範囲は後述される実用新案登録請求の範囲を基準とする。
【符号の説明】
【００１５】
１    本体
２    動力部材
２１  シャフト
３    ベアリング
４    カバー体
５    弾性部材
６    台体
７    ブラシ
【図１】
0003203014.tif 000003
【図２】
0003203014.tif 000004
【図３】
0003203014.tif 000005
【図４】
0003203014.tif 000006
(57)【要約】      （修正有）【課題】宝石全体の形状を露出させ、優れた美感を持つ身飾品を提供する。【解決手段】チェーン１０と、チェーンの一部に取り付けられた複数のダイヤモンド２１とを有する。８個のダイヤモンド２１が直列にリング状のジョイント３１を介して連結されている。ジョイントは、２つのダイヤモンドのガードル付近の貫通孔を貫通している。【選択図】図５
0003203493.tif 000002
【実用新案登録請求の範囲】
【請求項１】
少なくとも一部に貫通孔が形成された宝石と、
前記貫通孔を貫通する結合部と、
を有する身飾品。
【請求項２】
複数の前記宝石と、
複数の前記結合部と
を有し、
少なくとも一つの前記結合部は、２つの前記宝石の前記貫通孔を貫通している
請求項１に記載の身飾品。
【請求項３】
前記結合部はリングであり、
前記宝石はダイヤモンドである
請求項１または請求項２に記載の身飾品。
【請求項４】
ネックレス、ブレスレッド、イヤリングの少なくとも一つである
請求項１〜３のいずれかに記載の身飾品。
【考案の詳細な説明】
【技術分野】
【０００１】
本考案は、ネックレス、ブレスレッド、イヤリング等の身飾品に関する。
【背景技術】
【０００２】
ダイヤモンド等の宝石は、通常、シャトンと呼ばれる台座に爪などで固定され、そのシャトンを介して指輪や紐状のネックレスに保持される。
【考案の概要】
【考案が解決しようとする課題】
【０００３】
ところで、身飾品において、シャトンを無くし、宝石自体の全形状を露出させたいという要請がある。
【０００４】
本考案は、宝石全体の形状を露出させ、優れた美感を持つ身飾品を提供することを目的とする。
【課題を解決するための手段】
【０００５】
上述した従来技術の問題点を解決し、上述した目的を達成するため、本発明の身飾品は、少なくとも一部に貫通孔が形成された宝石と、前記貫通孔を貫通する結合部とを有する。
【０００６】
本発明の身飾品では、宝石自体に貫通孔を形成し、その貫通孔に結合部を貫通させて宝石を保持する。そのため、宝石自体の全形状を露出させ、優れた美感を看者に与えることができる。
【０００７】
好適には本発明の身飾品は、複数の前記宝石と、複数の前記結合部とを有し、少なくとも一つの前記結合部は、２つの前記宝石の前記貫通孔を貫通している。
【０００８】
好適には本発明の身飾品の前記結合部はリングであり、前記宝石はダイヤモンドである。
【０００９】
好適には本発明の身飾品は、ネックレス、ブレスレッド、イヤリングの少なくとも一つである。
【考案の効果】
【００１０】
本考案によれば、宝石全体の形状を露出させ、優れた美感を持つ身飾品を提供することができる。
【図面の簡単な説明】
【００１１】
【図１】図１は、本考案の実施形態に係るネックレス１の正面図である。
【図２】図２は、図１に示すネックレス１の部分拡大図である。
【図３】図３は図１に示すネックレス１の背面の部分拡大図である。
【図４】図４は、図３に示すネックレス１の部分側面図である。
【図５】図５は、図３に示すネックレス１の部分底面図である。
【考案を実施するための最良の形態】
【００１２】
以下、本考案の実施形態に係るネックレス（身飾品）を、図面を参照しながら説明する。
図１は、本考案の実施形態に係るネックレス１の正面図である。
図２は、図１に示すネックレス１の部分拡大図である。図３は図１に示すネックレス１の背面の部分拡大図である。
図４は、図３に示すネックレス１の部分側面図である。
図５は、図３に示すネックレス１の部分底面図である。
【００１３】
図１に示すように、ネックレス１は、例えば、チェーン１１と、チェーン１１の一部に取り付けられた複数のダイヤモンド２１とを有する。
図１に示す例では、８個のダイヤモンド２１が直列にリング状のジョイント３１を介して連結されている。
【００１４】
図１〜図５に示すように、ジョイント３１は、２つのダイヤモンド２１のガードル付近の貫通孔２１ａを貫通している。すなわち、ジョイント３１のガードル付近には２つの貫通孔２１ａがレーザ加工等で形成されている。当該２つの貫通孔２１ａは、例えば、ダイヤモンド２１の中心線を通り、当該中心線に直交する線上に位置している。
【００１５】
ネックレス１によれば、ダイヤモンド２１に貫通孔２１ａを形成し、貫通孔２１ａにジョイント３１を貫通させることで複数のダイヤモンド２１を連結すると共に、チェーン１１に取り付ける。すなわち、枠や爪を用いずにダイヤモンド２１をチェーン１１に取り付けることができので、ダイヤモンド２１自体の全形状を露出させ、優れた美感を看者に与えることができる。
また、ダイヤモンド２１が捻じれても、その角度なりのダイヤモンド２１の美しい輝きを看者に与えることができる。
【００１６】
また、ネックレス１によれば、ダイヤモンド２１を固定する枠がないので軽量化を図れる。また、滑らかな動きをさせることができる。
ダイヤモンド２１同士を繋げるダイヤモンド２１を磨くことで、滑らかな動きを実現できる。
【００１７】
ネックレス１では、ダイヤモンド２１の大きさは全て同じであり、ダイヤモンド２１の入る長さそのままカラットになる。また、複数のダイヤモンド２１の一部の大きさが異なるようにしてもよい。
【００１８】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
上述した実施形態では、８個のダイヤモンド２１を直列に連結した場合を例示したが、８個以外の複数のダイヤモンド２１を直列に接続してもよいし、一部を並列に連結してもよい。
【００１９】
また、上述した実施形態では、ネックレス１を例示したが、ネックレス１以外のブレスレッド、イヤリング等の身飾品に本発明を適用してもよい。
また、上述した実施形態では、本発明の宝石としてダイヤモンド２１を例示したが、その他の宝石を用いてもよい。
【００２０】
また、ジョイント３１は、リング状以外の形状でもよい。
また、ダイヤモンド２１に３つ以上の貫通孔２１ａを形成してもよい。
【産業上の利用可能性】
【００２１】
本考案は、例えば、ネックレス、ブレスレッド、イヤリングに適用可能である。
【符号の説明】
【００２２】
１…ネックレス
１１…チェーン
２１…ダイヤモンド
２１ａ…貫通孔
３１…ジョイント
【図１】
0003203493.tif 000003
【図２】
0003203493.tif 000004
【図３】
0003203493.tif 000005
【図４】
0003203493.tif 000006
【図５】
0003203493.tif 000007
(57)【要約】【課題】風等によって裾が乱れた場合や階段の昇降時等において前身頃が開いたとしても、そこから雨が入り込んで内側の和服の裾が濡れるおそれがない和服用レインコートを提供することを課題とする。【解決手段】左側の身頃２の内面と右側の身頃３の内面との間に架け渡される防水布４を備えていることを特徴とする和服用レインコートである。一実施形態においては、前記防水布４は幅方向に伸縮可能なものとされ、また、前記防水布４は、胴裏よりも下の部分に取り付けられる。【選択図】図３
0003203498.tif 000002
【実用新案登録請求の範囲】
【請求項１】
左側の身頃の内面と右側の身頃の内面との間に架け渡される防水布を備えていることを特徴とする和服用レインコート。
【請求項２】
前記防水布は幅方向に伸縮可能である、請求項１に記載の和服用レインコート。
【請求項３】
前記防水布は、胴裏よりも下の部分に取り付けられる、請求項１又は２に記載の和服用レインコート。
【考案の詳細な説明】
【技術分野】
【０００１】
本考案は和服用レインコートに関するものであり、より詳細には、雨降り時に和服の上に着用することで、当該和服全体、特にその前側裾部が濡れることを防止し得る機能を有する和服用レインコートに関するものである。
【背景技術】
【０００２】
和服用レインコートとして、種々のデザインのものが市販されている。それは一般に、防水性を有する生地製で、和服と同様に、左右の前身頃が重なり合う形態のものである。従って、和服の場合と同様に、風等によって裾が乱れた場合や階段の昇降時等において前身頃が開き、そこから雨が入り込んで内側の和服の裾が濡れる事態が起こる。
【先行技術文献】
【特許文献】
【０００３】
【特許文献１】実用新案登録第３０６４５６７号公報
【特許文献２】特許第４１４１４０４号公報
【考案の概要】
【考案が解決しようとする課題】
【０００４】
上述したように、従来市販されている和服用レインコートにおいては、風等によって裾が乱れた場合や階段の昇降時等において前身頃が開いた場合、そこから雨が入り込んで内側の和服の裾が濡れるという問題があった。
【０００５】
本考案は、このような問題を解決するためになされたもので、風等によって裾が乱れた場合や階段の昇降時等において前身頃が開いたとしても、そこから雨が入り込んで内側の和服の裾が濡れるおそれがない和服用レインコートを提供することを課題とする。
【課題を解決するための手段】
【０００６】
上記課題を解決するための請求項１に記載の考案は、左側の身頃の内面と右側の身頃の内面との間に架け渡される防水布を備えていることを特徴とする和服用レインコートである。
【０００７】
一実施形態においては、前記防水布は幅方向に伸縮可能なものとされる。また、前記防水布は、胴裏よりも下の部分に取り付けられる。
【考案の効果】
【０００８】
本考案は上記のとおりであって、本考案に係る和服用レインコートは、左側の身頃の内面と右側の身頃の内面との間に架け渡される防水布を備えているため、風等によって裾が乱れた場合や階段の昇降時等において前身頃が開いた場合においても、防水布が左右に広がって内側の和服の裾部分を覆うため、和服の裾が雨にかかって濡れるおそれがないという効果がある。
【０００９】
また、本考案に係る和服用レインコートは、一般の和服用レインコートに防水布を取り付けるだけで構成することができるので、比較的廉価にて提供し得る効果がある。
【図面の簡単な説明】
【００１０】
【図１】本考案に係る和服用レインコートの着用状態を示す図である。
【図２】本考案に係る和服用レインコートにおける防水布の取り付け方法を示す図である。
【図３】本考案に係る和服用レインコートにおける防水布の取り付け状態を示す図である。
【図４】本考案に係る和服用レインコートの着用時に前が開いて防水布が露出した状態を示す図である。
【考案を実施するための形態】
【００１１】
本考案を実施するための形態について、添付図面を参照しつつ詳細に説明する。本考案に係る和服用レインコート１は、左側の身頃２の内面と右側の身頃３の内面との間に防水布４が架け渡されていることを特徴とするものである。なお、ここに言う身頃は、前身頃、脇身頃及び後身頃を含むものである。
【００１２】
防水布４は任意の防水素材性で、好ましくは伸縮性を有する素材製とし、あるいは、プリーツを生成するなどして横方向に伸縮性を持たせるようにすることが好ましい。防水布４は、その一方の側辺４ａが左側身頃２の内面の、好ましくは、胴裏よりも下側の裾回り対応位置に取り付けられ、他方の側辺４ｂが右側身頃３の内面の、好ましくは、胴裏よりも下側の裾回り対応位置に取り付けられる。
【００１３】
そして、一方の側辺４ａと他方の側辺４ｂのうちの少なくとも一方が、連結手段５を介して左右身頃２，３の内面に着脱自在にされる。図示した例では、左側身頃２の側の側辺４ａは縫着され、右側身頃３の側の側辺４ｂには、連結手段５であるファスナーの一方のファスナーテープ５ａが取り付けられ、それが右側身頃３の側辺４ｂ対応部に取り付けられた他方の側のファスナーテープ５ｂに連結されている。連結手段５はファスナーに限らず、例えば、面ファスナー、ホック、マグネット等の手段を用いることができることは言うまでもない。
【００１４】
本考案に係る和服用レインコート１は、一般のレインコートと同様に和服の上に羽織り、連結手段５を介して防水布４を左右身頃２，３の内面間に架け渡して（図２，３参照）、着用する（図１参照）。その状態において、左側身頃２の内面と右側身頃３の内面との間に架け渡された防水布４が広がって、その内側の和服１１の裾部分１２をカバーする。そして、そのカバー状態は、風等によって裾が乱れた場合や階段の昇降時等において左右の前身頃２、３が開いた場合においても維持されるため、裾が乱れて防水布４が露出しても（図４参照）、雨は防水布４によって遮止されるので、その内側の和服１１の裾部分１２が濡れることはない。
【００１５】
本考案に係る和服用レインコート１は、上記の通り、単に、一般の和服用レインコートに防水布４を付加するだけで構成することができ、新装のものはもちろん、既存の和服用レインコートにも後付で簡単に設置することができる、非常に有用なものである。
【符号の説明】
【００１６】
１      和服用レインコート
２      左側身頃
３      右側身頃
４      防水布
４ａ    一側辺
４ｂ    他側辺
５      連結手段
５ａ    ファスナーテープ
５ｂ    ファスナーテープ
１１    和服
【図１】
0003203498.tif 000003
【図２】
0003203498.tif 000004
【図３】
0003203498.tif 000005
【図４】
0003203498.tif 000006
(57)【要約】      （修正有）【課題】外容器内に青，黄，黒，緑，赤色の５色に色分けした小容器を整列してずれ動かないように並べ入れることのできる収容容器を新規に提供する。【解決手段】外容器１内に青，黄，黒，緑，赤色に色分けした５個の小容器３を３個列と２個列にて並べ入れ、２個列の小容器３の両側の隙間に２個の角箱５を収めて並べ入れ小容器を３個列ごとずれ動かないようにする。無色透明な上蓋を被せることもできる。【選択図】図２
0003203464.tif 000002
【実用新案登録請求の範囲】
【請求項１】
外容器内に青，黄，黒，緑，赤色に色分けした５個の小容器を３個列と２個列にて並べ入れ、２個列の両側の隙間に２個の角箱を収めて並べ入れ小容器をずれ動かないようにしたことを特徴とする食品，菓子の５色分け収容容器。
【請求項２】
外容器を立ち上げ鍔を外周に有す上げ底の皿形にして５個の小容器と２個の角箱の底部を嵌入れて安定させる凹みを設けた請求項１に記載の食品，菓子の５色分け収容容器。
【考案の詳細な説明】
【技術分野】
【０００１】
本考案は多種の食品，菓子などの５色分け収容容器に関するものある。
【背景技術】
【０００２】
従来、食品の個別収容容器としては例えば特開平５−３１７１７４号公報がある。該公報は中，小の容器を大の容器の中に順に取出し自在に収容することを記載している。
【特許文献１】特開平５−３１７１７４号公報
【考案の開示】
【考案が解決しようとする課題】
【０００３】
しかしながら上記の公報は、大中小の容器のいずれかに食品を収容することを目的にしており、４種，５種という多くの食品，菓子を５色に色分けして収容するということはできないという課題がある
【課題を解決するための手段】
【０００４】
本考案は外容器内に青，黄，黒，緑，赤などの５色に色分けした各別の小容器を３個列と２個列にて並べ入れ、２個列の両側の隙間に角箱を入れて３個列とともに小容器群をずれ動かないようにし、多種の食品，菓子などを色分けした５個の小容器内に区分け入れするようにして上記した課題を解決したのである。
【考案の効果】
【０００５】
本考案は青，黄，黒，緑，赤の５色に色分けした５個の小容器を３個列と２個列にして外容器内に並べ入れするようにしたので、各小容器に盛り付けた食品，菓子などは５色の異なる色彩によってさらに華やかになるという効果を生ずる。
【０００６】
小容器の外面全周を青，黄，黒，緑，赤の５色に色分けしたことで小容器の色彩感覚が豊かになるという効果を生ずる。
【０００７】
２個別の両側の角箱は、３個列とともに色分けした小容器を外容器内においてずれ動かないようにする効果と、さらに角箱はディップソース，ケチャップ，ジャム，マーガリン，バターなどの調味料を分け入れすることができて、食品，菓子にこれらの調味料を加えることで、さらに美味を増大することができるという効果を生ずる。
【図面の簡単な説明】
【０００８】
【図１】小容器および角箱を外容器内に収納した状態を示す斜視図
【図２】同、平面図
【図３】小容器および角箱を外容器から取り出した状態を示す斜視図
【図４】外容器を５個の小容器と２個の角箱の底部を嵌め入れる凹みを有す皿形とした斜視図
【符号の説明】
【０００９】
１は外容器
１ａは皿形
１ｂは凹み
２は上蓋
３は５色の小容器
４は２個列の両側の隙間
５，５は角箱
５ａは区分壁
【考案を実施するための最良の形態】
【００１０】
本考案は、青，黄，黒，緑，赤の５色に色分けした小容器を２個の角箱とともに外容器内に並べて、各小容器内に収容する食品，菓子を色彩豊かにし、且つ調味料を添加できるようにして構成する。
【実施例１】
【００１１】
図１乃至図３は本考案の第１実施例であって、無蓋の矩形を呈した外容器１内に青，黄，黒，緑，赤の５色に色付けした小鉢形の小容器３を並べ入れる。
【００１２】
実施例では青，黄，黒の３個の小容器３列と、緑，赤の２色の小容器２列に分けて隙間なしに並べ入れ、２色の小容器３列の両側の隙間４に区分壁５ａを中間に有す角箱５，５を嵌め入れて３個の小容器列とともに外容器１内においてずれ動かないようにする。
【００１３】
しかして各小容器３内には食品，惣菜，菓子などの５種をそれぞれに分け入れ、角箱５，５内にディップソース，ケチャップ，ジャム，マーガリン，バターなどの調味料または副食品，補助食品などを分け入れるようにする。
【００１４】
このようにして用意される外容器１内に５色に色分けされて３個列と２個列にて並べ入れられた各小容器３内には多種の食品，菓子類が区分分け入れされ、しかも角箱５，５内の例えば調味料，副食品，補助食品を加味することでさらに美味しく食することができることとなる。なお外容器１は図１に示すような無色透明の上蓋２の被せにて衛生的にすることができる。
【実施例２】
【００１５】
図４は本考案の第２実施例であって、外容器１と立ち上げ鍔を外周に有す上げ底の皿形１ａにして、内部に５個の小容器３と２個の角箱５の底部を嵌め入れて安定させる凹み１ｂを設けたもので、その他の構成と作用は第１実施例と同じである。
【産業上の利用可能性】
【００１６】
本考案は５色に色分けした小容器を外容器内に並べ入れ、余白に角箱を収めてこれらの各小容器を外容器内にてずれ動かないようにすることで広く利用されることとなる。
【図２】
0003203464.tif 000003
【図３】
0003203464.tif 000004
【図４】
0003203464.tif 000005
【図１】
0003203464.tif 000006
(57)【要約】      （修正有）【課題】就寝時等にも自分の体重によって安易に常用的にマッサージ効果を得ることができるマッサージ器具を提供する。【解決手段】柔軟で弾力のある扁平球体２を平面上に二つ並べ連結固定３した。【選択図】図７
0003203426.tif 000002
【実用新案登録請求の範囲】
【請求項１】
身体の背中の肩から骨盤にかけて、背骨の両脇に点在するツボや疲労による凝りや痛みを解消する為、床や寝具上に仰向けに寝たとき、床や寝具と背中の間に背骨を跨ぐように挟みこみ自己の体重に因ってマッサージ効果を得、適度に刺激を緩和するため、柔軟で弾力のある扁平球体、二つを横に並べ間隔を保つため連結固定して、就寝時等長時間でも常用的に使用することが出来るようにしたマッサージ器具。
【考案の詳細な説明】
【技術分野】
【０００１】本考案は、身体の背中の肩から骨盤にかけて背骨の両脇に点在するツボ及び筋肉のコリや痛みを解消し腰痛予防等に帰するために、床や寝具上に仰向けに寝たときに、床や寝具と身体の間に背骨を跨ぐように挟みこみ自己の体重に因って患部を刺激しマッサージ効果を得、就寝時など長時間でも使用が可能なように刺激を適度に緩和する為に、柔軟で弾力のある扁平球体、二つを横に並べた状態で間隔を保つため連結固定したものである。
【背景技術】
【０００２】従来は、高価なマッサージ機械や突起物が付いた器具を購入利用したり、マッサージ治療所などに何度も通う等、外部からの力により効果を得ようとする治療を繰り返す場合が多かった。
【考案の概要】
【考案が解決しようとする課題】
【０００３】本考案は、身体の背中の肩から骨盤にかけて背骨の両脇に点在するツボ及び筋肉のコリや痛みを解消するため、高価な機械や器具を購入利用したり、マッサージ治療所に何度も通う等、外部からの力によって効果を得ようとすることが多かった。
【課題を解決するための手段】
【０００４】柔軟で弾力のある扁平球体、二つを平面上に横に並べ間隔を保つために連結固定し、仰向けに寝て床あるいは寝具と身体の間に背骨を跨ぐ状態で挟みこむ事により、自分の体重に因り患部に極端に強い刺激を与えることなく長時間でも安易に常用できるようにした。
【考案の効果】
【０００５】高価なマッサージ機械や器具を購入使用したりマッサージ治療を受けるため何度も通うことなく、柔軟で弾力のある球体を扁平にし刺激を適度に緩和して長時間でも使用出来るようにすることにより就寝時等にも自分の体重によって安易に常用的にマッサージ効果を得ることができるようにした
【考案を実施するための形態】
【０００６】本考案の、実施の形態について説明すると、柔軟で弾力のある扁平球体二つ（２）を平面上に横に並べ間隔を保つために連結固定（３）する。
【図面の簡単な説明】
【０００７】
【図１】  本考案の正面図
【図２】  本考案の背面図
【図３】  本考案の平面図
【図４】  本考案の底面図
【図５】  本考案の左側面図
【図６】  本考案の右側面図
【図７】  本考案の斜視、模式図
【図８】  本考案の使用状態を示す模式図
【符号の説明】
【０００８】１  本考案
２  扁平球体
３  連結固定部分
【図１】
0003203426.tif 000003
【図２】
0003203426.tif 000004
【図３】
0003203426.tif 000005
【図４】
0003203426.tif 000006
【図５】
0003203426.tif 000007
【図６】
0003203426.tif 000008
【図７】
0003203426.tif 000009
【図８】
0003203426.tif 000010
(57)【要約】      （修正有）【課題】髪をカールする時間を早くすることができるヘアカーラーを提供する。【解決手段】カーボンを付着させたヘアカーラーは、従来のヘアカーラーより早く温まるので、髪をカールする時間が短縮できる。【選択図】図１
0003203430.tif 000002
【実用新案登録請求の範囲】
【請求項１】
毛髪を巻いてカールするヘアカーラーで、カーボンを付着させた事を特徴とするヘアカーラー。
【考案の詳細な説明】
【技術分野】
【０００１】本考案は毛髪を巻いてカールさせるためのヘアカーラーに関するものである。
【背景技術】
【０００２】従来のヘアカーラーは外側にナイロンパイルシートを巻いたものや、プラスチックコアにスポンジ体を巻いたものがある。
【考案の開示】
【考案が解決しようとする課題】
【０００３】従来のヘアカーラーより  カールをより早く仕上げることを課題とする。
【課題を解決するための手段】
【０００４】〔図１〕のヘアカーラーにカーボンを付着させた本考案のヘアカーラーを提供する。
【考案の効果】
【０００５】本考案のヘアカーラー〔図１〕はドライヤーを当てた際に、従来のヘアカーラーに比べて早く温まるので  髪をカールする際に  カールを早く仕上げる事ができる。
【実施例】
【０００６】〔図２〕が本考案のヘアカーラーの使用例で  早く温まるから  髪をカールする時間を短縮する事ができる。
【産業上の利用可能性】
【０００７】本考案〔図１〕〔図２〕のヘアカーラーは早く温まるので  髪をカールする時間が短縮されるので  髪が傷みにくくなる、また電気代の節約にもなる。
【図面の簡単な説明】
【０００８】
【図１】本考案のカーボンを付着させたヘアカーラー
【図２】本考案のヘアカーラーで髪を巻いた状態
【図１】
0003203430.tif 000003
【図２】
0003203430.tif 000004
(57)【要約】      （修正有）【課題】ばね式クリップを用いることで片手で強力に装着できる挟み込み式装身具用留め具を提供する。【解決手段】半球状の頭部をもつ雄型部品をクリップ状の雌型部品で挟み込むことによって結合する。クリップ状の部品のため片手で操作することが可能となる。雄型部品にすり鉢状凹部４を設け、雌型部品の内部空洞である軸受け穴５に設けた楔状凸部６と噛み合わせることで脱落を防止する。また、結合時に雄型部品が回転するようにし、装身具のよじれによる脱落を防止する。【選択図】図２
0003203428.tif 000002
【実用新案登録請求の範囲】
【請求項１】
装身具本体との連結環と半球状の頭部を軸でつなぎ頭部と軸の接合部にすり鉢状の凹部を持たせた雄型部品と、支持軸で結合され内部に楔状の凸部を設けた空洞を持つ上部部品と下部部品がばねの弾性力で自動的に閉じるクリップ状の雌型部品からなる、雌型部品のばねの弾性力で雄型部品の頭部を挟み込むことで連結しかつ雄型部品のすり鉢状凹部と雌型部品の内部の楔状凸部が噛み合うことで脱落を防止する装身具用留め具。
【考案の詳細な説明】
【考案の詳細な説明】
【技術分野】
【０００１】  本考案は、ばね式クリップを用いた装身具用留め具に関するものである
【背景技術】
【０００２】  従来の技術として、特開２００９−２９７２３０のような棒状のパーツをはさみこむ方式の装身具用留め具などがいくつか知られている。
【考案が解決しようとする課題】
【０００３】  しかしながら、これらは結合時に両手で操作する必要があり、その性質上両手での操作が困難なブレスレット等の連結には不向きであった。
【０００４】  本考案の目的は、雄型部品をクリップ状の雌型部品で挟み込むことで簡便かつ強力に装着できる装身具用留め具を提供することである。
【課題を解決する手段】
【０００５】  本考案は、図１左側の雄型部品と右側の雌型部品を組み合わせることで実現する。雄型部品は連結環（１）と軸（２）と半球状の頭部（３）からなる部品である。雌型部品は上部部品（７）と下部部品（８）とばね（１１）からなり、それらを支持軸（１０）で結合したクリップ状の部品である。雌型部品のつまみ部（１２）をつまむことで図７のように雌型部品を開口させ、そこに雄型部品の半球状の頭部（３）を挿入し、雄型部品の軸（２）を雄型部品の軸（２）の径より大きい雌型部品の軸受け穴（５）に通しながらばねの弾性力で挟み込むことにより両部品は連結される。雄型部品の半球状の頭部は軸（２）との接続部に（４）のようなすり鉢状の凹部を持ち、雌型部品は（６）のような楔状凸部を持つ。連結時には図９のように（４）（６）が噛み合い、雄型部品の連結環（１）と雌型部品の連結環（９）を引っ張ることによる脱落を防止する。
【実施例】
【０００６】  図９の通りである。
【考案の効果】
【０００７】  連結時に（４）（６）が噛み合うことで、装身具装着時に雄型部品の連結環（１）と雌型部品の連結環（９）を引っ張る方向に力がかかっても脱落しないだけの強力な結合力が得られた。また、雌型部品のつまみ部（１２）をつまみながら雄型部品の半球状の頭部を挟み込むだけで連結できるため、片手での操作が可能となった。さらに軸受け穴（５）の径が軸（２）より大きく連結時に雄型部品が回転するため、雄型部品の連結環（１）と雌型部品の連結環（９）の先につないだ装身具本体のよじれによる脱落を防ぐことができた。
【図面の簡単な説明】
【図１】  連結前の状態を示す側面図
【図２】  連結前の状態を示す側面図において、雄型部品の凹部と雌型部品の内部空洞を斜線で示した図
【図３】  連結状態を示す側面図
【図４】  雄型部品を斜め正面から見た図
【図５】  雄型部品の斜め背面から見て、すり鉢状凹部を斜線で示した図
【図６】  雌型部品を斜め正面から見た図
【図７】  連結しようとする状態を示す図
【図８】  連結しようとする状態を示す断面図
【図９】  連結状態を示す断面図
【符号の説明】１    装身具本体との連結環
２    軸
３    半球状の頭部
４    すり鉢状凹部
５    軸受け穴
６    楔状凸部
７    雌型部品の上部部品
８    雌型部品の下部部品
９    装身具本体との連結環
１０  支持軸
１１  ばね
１２  つまみ部
【図１】
0003203428.tif 000003
【図２】
0003203428.tif 000004
【図３】
0003203428.tif 000005
【図４】
0003203428.tif 000006
【図５】
0003203428.tif 000007
【図６】
0003203428.tif 000008
【図７】
0003203428.tif 000009
【図８】
0003203428.tif 000010
【図９】
0003203428.tif 000011
(57)【要約】      （修正有）【課題】上面と下面を反転させる構造に工夫を施すことにより、水滴を拭き取った面が鞄やポケットの中等一時保存場所でも内部を濡らすことはないという利便性を可能にする使い捨てペーパーを提供する。【解決手段】水滴を拭き取る面は、吸湿性にすぐれたペーパーを使用する。下面の真ん中から切れ目１を入れ、ペーパーの上下を反転させて、鞄内やポケットに一時保存する。濡れた面が鞄内やポケットに接しない為、濡れることはない。水滴を拭いたペーパーは最終的にはゴミ箱等に廃棄する。素材は環境にやさしい再生紙を想定するが、正面は吸水性に優れ、背面は防水材質を用いる。【選択図】図１
0003203411.tif 000002
【実用新案登録請求の範囲】
【請求項１】
下面の切れ目から指を入れ、上面で濡れた傘や鞄等の水滴を拭き取り、下面の切れ目から反転させて一時保存し廃棄する、という使い捨てペーパー。
【考案の詳細な説明】
【技術分野】
【０００１】本考案は、雨に濡れた傘・鞄用水滴とり使い捨てペーパーに関する。
【背景技術】
【０００２】雨に濡れた傘や鞄の水滴をとるには、従来はティッシュやハンカチ等しか手段はなく、通勤途中にハンカチで拭くのに躊躇したり、拭いた濡れティッシュの即時処分に不便を感じていた。
【考案が解決しようとする課題】
【０００３】本考案は、通勤途中でもさっと雨の水滴を拭うことができ、混んだ電車内に濡れた傘を持ち込む不快さや、車内や店内の床を濡らすことを減少させることをめざしている。
【課題を解決するための手段】
【０００４】上記目的を達成する為、雨に濡れた傘や鞄をペーパーで拭いた後で拭いた面を覆うべく、上面と下面を反転させる構造にする。この構造では濡れた面が表に出てこない為、ペーパーのゴミを一時的に鞄やポケットに保存することを可能にする。そして、しかるべき廃棄場所にて廃棄するという利便性を実現するものである。
【図面の簡単な説明】
【０００５】
【図１】ペーパー断面図である。下面の１の切れ目から指を入れ、上面の２の面で水滴を拭き取る。３の面を引っ張り、４および５が上面の２の面を覆うように反転させる。
【図２】上面の図である。
【図３】下面の図である。
【図４】反転させた後の断面図である。
【図１】
0003203411.tif 000003
【図２】
0003203411.tif 000004
【図３】
0003203411.tif 000005
【図４】
0003203411.tif 000006
(57)【要約】      （修正有）【課題】簡単に設置出来、手軽に炎を楽しむ事が出来る暖炉を提供する。【解決手段】暖炉は不燃材又は難燃材を使用し、底部１と対向する二方の側壁３と背壁４から構成され、底部の上面に固形アルコール燃料を置く柱状の凹み２が成形されている。固形アルコール燃料を使用する事により天井部分が開口し排煙設備が必要ない為設置や移動が簡単に行える。また底部に凹みを設ける事により固形アルコール燃料本体が見えにくくなり炎のみが見えインテリア性と安全性を備えている。【選択図】図１
0003203414.tif 000002
【実用新案登録請求の範囲】
【請求項１】
暖炉本体は不燃材又は難燃材を使用し、底部と対抗する二方の側壁と背壁から構成されている事を特徴とする暖炉。
【請求項２】
暖炉本体の底部１の上面に固形アルコール燃料を置く柱状の凹み２が成形されている事を特徴とする、請求項１に記載の暖炉。
【考案の詳細な説明】
【技術分野】
【０００１】暖炉底部に柱状の凹みを設けた無煙突の暖炉に関するものである。
【背景技術】
【０００２】従来の暖炉は主に薪を使用していた為、煙が出て煙突等の排煙設備が必要で排煙設備が無い屋内では新たに設置しなければならなく経済的負担も大きく又排煙設備と繋がっているため移動も安易ではなかった。
【考案の概要】
【考案が解決しようとする課題】
【０００３】煙突等の排煙設備を排除し安易に移動ができ暖房効果及びインテリア性がある暖炉を提供する。
【課題を解決するための手段】
【０００４】本考案は固形アルコール燃料を使用する事により煙が出ない為、排煙設備と天井部分が不必要である。暖炉底部上面に柱状の凹み部分を設け固形アルコール燃料を置くことにより固形アルコール燃料本体が見えにくく炎だけが見えるようになりインテリア性を持たせ問題点を解決している。
【考案の効果】
【０００５】排煙設備が無く手軽に暖炉の暖房効果及び炎による安らぎを得る事ができ移動も安易に出来る。
【図面の簡単な説明】
【０００６】
【図１】本考案の一実施例を示す斜視図である。
【図２】本考案の正面図である。
【図３】
【考案を実施するための形態】
【０００７】不燃材又は難燃材にて暖炉を作製する。暖炉は底部・側壁・背壁にて構成され暖炉底部上面に柱状の凹み部分を設ける。
【符号の説明】
【０００８】１  底部
２  固形アルコール燃料設置口
３  側壁
４  背壁
【図１】
0003203414.tif 000003
【図２】
0003203414.tif 000004
【手続補正書】
【提出日】平成28年1月29日(2016.1.29)
【手続補正１】
【補正対象書類名】明細書
【補正対象項目名】０００６
【補正方法】変更
【補正の内容】
【０００６】
【図１】本考案の一実施例を示す斜視図である。
【図２】本考案の正面図である。
(57)【要約】      （修正有）【課題】設置場所を選ばず、外装を吊るした測定も可能な液上レーザー水準器を提供する。【解決手段】浮揚液２に浮かんだ状態で、レーザー光線５を水平、あるいは、垂直に発生する事により、水平、垂直を測定出来るレーザー発生器３を特徴とする。【選択図】図１
0003203405.tif 000002
【実用新案登録請求の範囲】
【請求項１】
レーザー発生器を液体に浮かべて水平、垂直を測定するする機器。
【考案の詳細な説明】
【技術分野】
【０００１】  本考案は、レーザー発生器を水平方向、または垂直方向にも付けて、液体に浮かべて水平、垂直を測定する方法である。
【背景技術】
【０００２】  現在は、レーザー発生器と外装が一体となっている為、全体を水平に保つ必要がある。
【考案の概要】
【考案が解決しようとする課題】
【０００３】  レーザー発生器と外装が一体となっている為、測定場所に合わせて全体を水平に保つ必要がある。
【課題を解決するための手段】
【０００４】  レーザー発生器を外装と離し、液体に浮かんだ状態で水平、垂直になるように設定する。
【考案の効果】
【０００５】  レーザー発生器が外装を離れている為に、設置場所を選ばず、外装（容器）を吊るして測定も可能となる。
【図面の簡単な説明】
【０００６】
【図１】  本考案の実施例を示す１例図です。
【考案を実施するための形態】
【０００７】  レーザー発生器を浮かべられる液体の入った容器に浮かべる。又は、レーザー発生器を粘性の適度な液体の入った容器に入れて、密閉して使用する。
【実施例１】
【０００８】以下、添付図面に従って一例を説明する。１は４の部分はレーザーを透過する材質で出来た、液体を入れる容器。２はレーザー発生器を浮かべられる液体。３がレーザー発生器。５がレーザー光である。
【符号の説明】
【０００９】１  外装（レーザー発生器を浮かべる為の容器）
２  レーザー発生器浮揚液
３  レーザー発生器
４  外装でレーザー光が透過出来る材質
５  レーザー光
【図１】
0003203405.tif 000003
【手続補正書】
【提出日】平成28年1月14日(2016.1.14)
【手続補正１】
【補正対象書類名】実用新案登録請求の範囲
【補正対象項目名】全文
【補正方法】変更
【補正の内容】
【実用新案登録請求の範囲】
【請求項１】
浮揚液に浮かんだ状態で、レーザー光線を水平、あるいは、垂直に発生する事により、水平、垂直を測定出来るレーザー発生器を特徴とする、液上レーザー水準器。